【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
アプリケータであって、
第１のエネルギー質量システムを備えている少なくとも第１のプランジャ要素であって、前記第１のプランジャ要素は、第１の拘束位置および第２の延長位置を有し、前記第１のプランジャ要素は、遠位端を備えている、第１のプランジャ要素と、
前記プランジャ要素遠位端の遠位表面に取り付けられた少なくとも１つの微小構造と、
少なくとも第２のエネルギー質量システムであって、前記第１および第２のエネルギー質量システムの各々は、異なる時定数を有し、各エネルギー質量システムは、第１の拘束位置および第２の延長位置を有し、前記第１および第２のエネルギー質量システムの各々は、質量およびエネルギー貯蔵要素を含む、第２のエネルギー質量システムと、
外力を少なくとも前記第１のプランジャ要素に伝達し、前記第１のプランジャ要素を前記第１の拘束位置から解放することが可能な作動部材と
を備え、
前記第１のエネルギー質量システムは、前記第２のエネルギー質量システムより速い時定数を有することにより、前記第１のプランジャ要素は、対象に複数の個別の衝突で衝突する、アプリケータ。
【請求項２】
前記エネルギー貯蔵要素は、弾性エネルギー要素であるか、または
前記エネルギー貯蔵要素の各々は、圧縮ばね、コイルばね、波形ばね、およびスロット付きばねから選択される、請求項１に記載のアプリケータ。
【請求項３】
前記第１のエネルギー質量システムの質量は、前記第２のエネルギー質量システムの質量と異なるか、または
前記第１のエネルギー質量システムは、前記第２のエネルギー質量システムより速い時定数を有する、請求項１−２のいずれか一項に記載のアプリケータ。
【請求項４】
第３のエネルギー質量システムをさらに備え、前記第３のエネルギー質量システムは、前記第１または第２のエネルギー質量システムと異なる時定数を有するか、あるいは
前記第３のエネルギー質量システムは、前記第１または第２のエネルギー質量システムより遅い時定数を有する、請求項１−３のいずれか一項に記載のアプリケータ。
【請求項５】
前記第１のプランジャ要素および作動部材を少なくとも部分的に格納する筐体部材をさらに備えている、請求項１−４のいずれか一項に記載のアプリケータ。
【請求項６】
前記筐体部材は、皮膚接触表面を含み、かつ／または前記皮膚接触表面は、前記筐体を表面に固定するための接着剤をさらに備えている、請求項５に記載のアプリケータ。
【請求項７】
前記少なくとも１つの微小突起は、複数の微小突起を備えている微小突起アレイであり、かつ／または
前記複数の微小突起のうちの少なくともいくつかは、溶解可能または侵食され得る微小突起であり、かつ／あるいは
前記複数の微小突起のうちの少なくともいくつかは、薬物、小分子、ペプチドまたはタンパク質、またはワクチンから選択される少なくとも１つの治療剤を含み、かつ／あるいは
前記複数の微小突起の少なくとも一部は、前記微小突起アレイから切り離し可能である、
請求項１−６のいずれか一項に記載のアプリケータ。
【請求項８】
前記第１のプランジャ要素は、約０．１５−０．２Ｊのエネルギーで対象の皮膚に接触する、請求項１−７のいずれか一項に記載のアプリケータ。
【請求項９】
前記第１のプランジャ遠位端の遠位表面上に位置付けられている裏当て部材をさらに備え、前記裏当て部材は、前記少なくとも１つの微小突起を備え、
前記裏当て部材は、前記第１のプランジャ要素遠位端から切り離し可能である、請求項１−８のいずれか一項に記載のアプリケータ。
【請求項１０】
前記裏当て部材は、前記第１のプランジャ要素遠位端の前記遠位表面に隣接する支持層と、接着剤層とを備え、前記少なくとも１つの微小突起は、前記接着剤層の遠位に位置付けられている、請求項９に記載のアプリケータ。
【請求項１１】
前記エネルギー貯蔵要素のうちの少なくとも１つと前記第１のプランジャ要素遠位端の近位表面との間に位置付けられているダンパをさらに備えている、請求項１−１０のいずれか一項に記載のアプリケータ。
【請求項１２】
アプリケータであって、
少なくともシャフトとその上に少なくとも１つの微小突起が保持されている遠位端とを備えているプランジャ要素と、
前記プランジャ遠位端の近位表面上に位置付けられている少なくとも１つの突起であって、前記プランジャは、第１の拘束位置および第２の延長位置を有する、少なくとも１つの突起と、
外力を前記プランジャ要素に伝達し、前記プランジャ要素を前記第１の拘束位置から解放することが可能な作動部材と、
前記アクチュエータと前記プランジャ遠位端との間に位置付けられている線形エネルギー貯蔵部材であって、前記線形エネルギー貯蔵部材は、第１の位置および第２の位置を有し、前記線形エネルギー貯蔵部材がその第１の位置からその第２の位置に移動する場合、前記プランジャをその第１の位置からその第２の位置に移動させるのに効果がある、線形エネルギー貯蔵部材と、
前記プランジャシャフトを少なくとも部分的に包囲し、前記線形エネルギー貯蔵部材と前記プランジャ遠位端との間に位置付けられているねじりエネルギー質量システムであって、前記ねじりエネルギー質量システムは、前記プランジャシャフトの周りで回転することが可能であり、前記ねじりエネルギー質量システムが前記プランジャシャフトの周りで回転する場合、前記少なくとも１つの突起に接触する、ねじりエネルギー質量システムと
を備えている、アプリケータ。
【請求項１３】
前記少なくとも１つの突起は、前記プランジャ遠位端の前記近位表面の周囲に間隔を空けられた複数の突起を備えている、請求項１２に記載のアプリケータ。
【請求項１４】
前記ねじりエネルギー質量システムは、前記ねじりエネルギー質量システムが前記プランジャシャフトの周りで回転する場合、前記少なくとも１つの突起に接触して、前記プランジャ遠位端を下向きに押す、請求項１２または１３に記載のアプリケータ。
【請求項１５】
前記ねじりエネルギー質量システムは、前記線形エネルギー貯蔵部材の運動軸に垂直なロッドを含み、前記ロッドは、前記ねじりエネルギー質量システムが回転する場合、前記少なくとも１つの突起に接触する、請求項１２−１４のいずれか一項に記載のアプリケータ。
【請求項１６】
患者の皮膚上への前記プランジャ遠位端の衝突は、前記ねじりばね質量システムを解放する、請求項１２−１５のいずれか一項に記載のアプリケータ。
【請求項１７】
前記少なくとも１つの突出部の各々は、楔形状である、請求項１２−１６のいずれか一項に記載のアプリケータ。
【請求項１８】
前記エネルギー貯蔵部材は、弾性エネルギー要素であるか、または
前記エネルギー貯蔵要素の各々は、圧縮ばね、コイルばね、および波形ばねから選択される、請求項１２−１７のいずれか一項に記載のアプリケータ。
【請求項１９】
前記プランジャ部材および作動部材を少なくとも部分的に格納する筐体部材をさらに備えており、
前記筐体部材は、皮膚接触表面を随意に含み、
前記皮膚接触表面は、前記筐体を表面に固定するための接着剤を随意にさらに備えている、
請求項１２−１８のいずれか一項に記載のアプリケータ。
【請求項２０】
前記少なくとも１つの微小突起は、複数の微小突起を備えている微小突起アレイである、請求項１２−１９のいずれか一項に記載のアプリケータ。
【請求項２１】
前記複数の微小突起のうちの少なくともいくつかは、溶解可能または侵食され得る微小突起であるか、あるいは
前記複数の微小突起は、薬物、小分子、ペプチドまたはタンパク質、またはワクチンから選択される少なくとも１つの治療剤を含むか、あるいは
前記複数の微小突起の少なくとも一部は、前記微小突起アレイから切り離し可能である、
、請求項２０に記載のアプリケータ。
【請求項２２】
前記プランジャ要素は、約０．１５−０．２Ｊの力で対象の皮膚に接触する、請求項１２−２１のいずれか一項に記載のアプリケータ。
【請求項２３】
前記プランジャ遠位端の底部表面上に位置付けられている裏当て部材をさらに備え、前記裏当て部材は、前記少なくとも１つの微小突起を備え、
前記裏当て部材は、前記プランジャ遠位端から切り離し可能である、請求項１２−２２のいずれか一項に記載のアプリケータ。
【請求項２４】
前記裏当て部材は、前記プランジャ遠位端の前記遠位表面に隣接する支持層と、接着剤層とを備え、前記少なくとも１つの微小突起は、前記接着剤層の遠位に位置付けられている、請求項２３に記載のアプリケータ。
【請求項２５】
前記エネルギー貯蔵デバイスと前記プランジャ遠位端の近位表面との間に位置付けられているダンパをさらに備えている、請求項１２−２４のいずれか一項に記載のアプリケータ。
【手続補正２】
【補正対象書類名】明細書
【補正対象項目名】００１４
【補正方法】変更
【補正の内容】
【００１４】
本発明は、例えば、以下を提供する：
（項目１）
治療剤を対象に送達する方法であって、
対象の皮膚部位に、少なくとも１つのプランジャ要素、前記プランジャの遠位表面上に保持されている少なくとも１つの微小突起、およびアクチュエータを備えているアプリケータを適用することと、
前記少なくとも１つの微小突起が前記皮膚部位を穿通するために必要とされるエネルギーが、複数の個別の量および／または衝突において送達されるように、前記アクチュエータを作動させ、外力を前記少なくとも１つのプランジャ要素に伝達することと
を含む、方法。
（項目２）
最大歪みおよび／または歪み率は、前記複数の個別の量および／または衝突のいずれによっても超えられない、項目１に記載の方法。
（項目３）
前の衝突からの歪みが消散することを可能にするために十分な遅延が衝突間に存在する、項目１または２に記載の方法。
（項目４）
前記少なくとも１つの微小構造は、第１の衝突から前記皮膚部位を部分的に穿通し、
前記方法は、前記少なくとも１つの微小構造を前記プランジャ遠位端から切り離すことをさらに含む、項目１−３のいずれか一項に記載の方法。
（項目５）
前記複数の個別の量および／または衝突は、
（ａ）  前記プランジャが、複数のエネルギー質量システムを備えていることであって、各システムは、異なる時定数を有する、ことと、
（ｂ）  前記アプリケータが、複数のプランジャ要素および非同期解放機構を備え、それによって、前記プランジャ要素が異なる期間で解放される、ことと、
（ｃ）  前記アプリケータが、複数のプランジャ要素を備えていることであって、前記複数のプランジャ要素の各々は、異なる減衰係数を有するダッシュポット要素を備えている、ことと、
（ｄ）  前記アプリケータが、複数のプランジャ要素を備えていることであって、前記複数のプランジャ要素の各々は、異なるタイプのばねを有する、ことと、
（ｅ）  前記アプリケータが、振動要素をさらに含むことと
のうちの１つ以上のものによって生成される、項目１−４のいずれか一項に記載の方法。
（項目６）
前記非同期解放を提供するためのカムをさらに備えている、項目５に記載の方法。
（項目７）
前記異なるタイプのばねは、コイル状ばね、波形ばね、およびスロット付きばねから選択される、項目５または６に記載の方法。
（項目８）
前記振動要素の振幅は、前記複数の個別の量および／または衝突のうちの１つ以上のものからの衝突歪みを制限するように制御される、項目５−７のいずれか一項に記載の方法。
（項目９）
前記振動要素の周波数は、前記複数の個別の量および／または衝突のうちの１つ以上のものからの衝突歪みを制限するように制御される、項目５−８のいずれか一項に記載の方法。
（項目１０）
前記エネルギー質量システムの各々は、前記プランジャ要素が前記皮膚部位に定義されたシーケンスにおいて衝突するように、徐々により高くなる時定数を有する、項目５−９のいずれか一項に記載の方法。
（項目１１）
各エネルギー質量要素は、ばねおよび質量要素を含む、項目５−１０のいずれか一項に記載の方法。
（項目１２）
前記プランジャ要素からの衝突の遅延は、前記エネルギー質量要素内の１つ以上のばねのばね定数を調節することによって修正され得る、項目１１に記載の方法。
（項目１３）
前記プランジャ要素からの衝突の遅延は、前記質量要素の質量を調節することによって修正され得る、項目１１または１２に記載の方法。
（項目１４）
アプリケータであって、
第１のエネルギー質量システムを備えている少なくとも第１のプランジャ要素であって、前記第１のプランジャ要素は、第１の拘束位置および第２の延長位置を有し、前記第１のプランジャ要素は、その上に少なくとも１つの微小突起が保持されることが可能な遠位端を備えている、第１のプランジャ要素と、
少なくとも第２のエネルギー質量システムであって、前記第１および第２のエネルギー質量システムの各々は、異なる時定数を有し、各エネルギー質量システムは、第１の拘束位置および第２の延長位置を有する、第２のエネルギー質量システムと、
外力を少なくとも前記第１のプランジャ要素に伝達し、前記第１のプランジャ要素を前記第１の拘束位置から解放することが可能な作動部材と
を備えている、アプリケータ。
（項目１５）
前記プランジャ要素遠位端の遠位表面に取り付けられた少なくとも１つの微小構造をさらに備えている、項目１４に記載のアプリケータ。
（項目１６）
前記第１および第２のエネルギー質量システムの各々は、質量およびエネルギー貯蔵要素を含む、項目１４または１５に記載のアプリケータ。
（項目１７）
前記エネルギー貯蔵要素は、弾性エネルギー要素である、項目１６に記載のアプリケータ。
（項目１８）
前記エネルギー貯蔵要素の各々は、圧縮ばね、コイルばね、波形ばね、およびスロット付きばねから選択される、項目１６または１７に記載のアプリケータ。
（項目１９）
前記第１のエネルギー質量システムは、前記第２のエネルギー質量システムより速い時定数を有する、項目１４−１８のいずれか一項に記載のアプリケータ。
（項目２０）
前記第１のエネルギー質量システムの質量は、前記第２のエネルギー質量システムの質量と異なる、項目１６−１９のいずれか一項に記載のアプリケータ。
（項目２１）
前記第１のエネルギー質量システムは、前記貯蔵エネルギーが解放された場合、前記少なくとも１つの微小突起を対象の皮膚の中に少なくとも部分的に展開するために十分な貯蔵エネルギーを有する、項目１４−２０のいずれか一項に記載のアプリケータ。
（項目２２）
第３のエネルギー質量システムをさらに備え、前記第３のエネルギー質量システムは、前記第１または第２のエネルギー質量システムと異なる時定数を有する、項目１４−２１のいずれか一項に記載のアプリケータ。
（項目２３）
前記第３のエネルギー質量システムは、前記第１または第２のエネルギー質量システムより遅い時定数を有する、項目２２に記載のアプリケータ。
（項目２４）
前記第１のプランジャ要素および作動部材を少なくとも部分的に格納する筐体部材をさらに備えている、項目１４−２３のいずれか一項に記載のアプリケータ。
（項目２５）
前記筐体部材は、皮膚接触表面を含む、項目２４に記載のアプリケータ。
（項目２６）
前記皮膚接触表面は、前記筐体を表面に固定するための接着剤をさらに備えている、項目２５に記載のアプリケータ。
（項目２７）
前記少なくとも１つの微小突起は、複数の微小突起を備えている微小突起アレイである、項目１４−２６のいずれか一項に記載のアプリケータ。
（項目２８）
前記複数の微小突起のうちの少なくともいくつかは、溶解可能または侵食され得る微小突起である、項目２７に記載のアプリケータ。
（項目２９）
前記複数の微小突起のうちの少なくともいくつかは、少なくとも１つの治療剤を含む、項目２７または２８に記載のアプリケータ。
（項目３０）
前記治療剤は、薬物、小分子、ペプチドまたはタンパク質、またはワクチンから選択される、項目２９に記載のアプリケータ。
（項目３１）
前記複数の微小突起の少なくとも一部は、前記微小突起アレイから切り離し可能である、項目２７−３０のいずれか一項に記載のアプリケータ。
（項目３２）
前記第１のプランジャ要素は、約０．１５−０．２Ｊのエネルギーで対象の皮膚に接触する、項目１４−３１のいずれか一項に記載のアプリケータ。
（項目３３）
前記第１のプランジャ遠位端の遠位表面上に位置付けられている裏当て部材をさらに備え、前記裏当て部材は、前記少なくとも１つの微小突起を備え、
前記裏当て部材は、前記第１のプランジャ要素遠位端から切り離し可能である、項目１４−３２のいずれか一項に記載のアプリケータ。
（項目３４）
前記裏当て部材は、前記第１のプランジャ要素遠位端の前記遠位表面に隣接する支持層と、接着剤層とを備え、前記少なくとも１つの微小突起は、前記接着剤層の遠位に位置付けられている、項目３３に記載のアプリケータ。
（項目３５）
前記少なくとも１つの微小突起は、前記接着剤層の遠位に位置付けられている微小突起アレイである、項目３４に記載のアプリケータ。
（項目３６）
前記接着剤層は、前記少なくとも１つの微小突起を少なくとも部分的に包囲している、項目３４または３５に記載のアプリケータ。
（項目３７）
前記エネルギー貯蔵要素のうちの少なくとも１つと前記第１のプランジャ要素遠位端の近位表面との間に位置付けられているダンパをさらに備えている、項目１４−３６のいずれか一項に記載のアプリケータ。
（項目３８）
治療剤を対象に送達する方法であって、
前記対象の皮膚部位に、項目１４−３７のいずれか一項に記載のアプリケータを適用することと、
前記作動部材を作動させ、外力を少なくとも前記第１のプランジャ要素に伝達することと、
前記第１のプランジャ要素を前記第１の拘束位置から前記第２の延長位置に解放し、前記対象の皮膚に衝突させることと、
前記第１のプランジャ要素と異なる時定数を有する前記第２のエネルギー質量システムを前記第１の拘束位置から前記第２の延長位置に解放することと
を含み、前記第２のエネルギー質量システムは、前記第１のプランジャ遠位端の近位表面に衝突する、方法。
（項目３９）
前記第１のプランジャは、前記少なくとも１つの微小突起が、前記皮膚を少なくとも部分的に穿通するために十分な力で前記対象の皮膚部位に接触する、項目３８に記載の方法。
（項目４０）
前記第１のプランジャ要素上への前記第２のエネルギー質量システムの衝突は、衝突時、前記少なくとも１つの微小突起を前記皮膚にさらを穿通させる、項目３８または３９に記載の方法。
（項目４１）
前記アプリケータを前記対象の皮膚に接着することをさらに含む、項目３８−４０のいずれか一項に記載の方法。
（項目４２）
前記展開位置において、前記第１のプランジャ要素は、その上に前記少なくとも１つの微小突起が保持される、前記プランジャの前記遠位端が、前記皮膚の表面の下方に位置付けられるような平衡位置を有する、項目３８−４１のいずれか一項に記載の方法。
（項目４３）
前記平衡位置は、前記対象の皮膚の表面から約０．０３−０．２インチ下方にある、項目４２に記載の方法。
（項目４４）
裏当て部材および前記少なくとも１つの微小突起が前記対象の皮膚上に保持されるように、前記裏当て部材を切り離すことをさらに含む、項目３８−４３のいずれか一項に記載の方法。
（項目４５）
前記治療剤は、薬物、小分子、ペプチドまたはタンパク質、またはワクチンから選択される、項目３８−４４のいずれか一項に記載の方法。
（項目４６）
アプリケータであって、
少なくともシャフトとその上に少なくとも１つの微小突起が保持されることが可能な遠位端とを備えているプランジャ要素と、
前記プランジャ遠位端の近位表面上に位置付けられている少なくとも１つの突起であって、前記プランジャは、第１の拘束位置および第２の延長位置を有する、少なくとも１つの突起と、
外力を前記プランジャ要素に伝達し、前記プランジャ要素を前記第１の拘束位置から解放することが可能な作動部材と、
前記アクチュエータと前記プランジャ遠位端との間に位置付けられている線形エネルギー貯蔵部材であって、前記線形エネルギー貯蔵部材は、第１の位置および第２の位置を有し、前記線形エネルギー貯蔵部材がその第１の位置からその第２の位置に移動する場合、前記プランジャをその第１の位置からその第２の位置に移動させるのに効果がある、線形エネルギー貯蔵部材と、
前記プランジャシャフトを少なくとも部分的に包囲し、前記線形エネルギー貯蔵部材と前記プランジャ遠位端との間に位置付けられているねじりエネルギー質量システムであって、前記ねじりエネルギー質量システムが前記プランジャシャフトの周りで回転する場合、前記少なくとも１つの突起に接触する、ねじりエネルギー質量システムと
を備えている、アプリケータ。
（項目４７）
前記少なくとも１つの突起は、前記プランジャ遠位端の前記近位表面の周囲に間隔を空けられた複数の突起を備えている、項目４６に記載のアプリケータ。
（項目４８）
前記ねじりエネルギー質量システムは、前記ねじりエネルギー質量システムが前記プランジャシャフトの周りで回転する場合、前記少なくとも１つの突起に接触して、前記プランジャ遠位端を下向きに押す、項目４６または４７に記載のアプリケータ。
（項目４９）
前記ねじりエネルギー質量システムは、前記線形エネルギー貯蔵部材の運動軸に垂直なロッドを含み、前記ロッドは、前記ねじりエネルギー質量システムが回転する場合、前記少なくとも１つの突起に接触する、項目４６−４８のいずれか一項に記載のアプリケータ。
（項目５０）
患者の皮膚上への前記プランジャ遠位端の衝突は、前記ねじりばね質量システムを解放する、項目４６−４９のいずれか一項に記載のアプリケータ。
（項目５１）
前記少なくとも１つの突出部の各々は、楔形状である、項目４６−５０のいずれか一項に記載のアプリケータ。
（項目５２）
前記エネルギー貯蔵部材は、弾性エネルギー要素である、項目４６−５１のいずれか一項に記載のアプリケータ。
（項目５３）
前記エネルギー貯蔵要素の各々は、圧縮ばね、コイルばね、および波形ばねから選択される、項目４６−５２のいずれか一項に記載のアプリケータ。
（項目５４）
前記線形エネルギー貯蔵部材は、前記貯蔵エネルギーが解放された場合、前記少なくとも１つの微小突起を対象の皮膚の中に展開するために十分な貯蔵エネルギーを有する、項目４６−５３のいずれか一項に記載のアプリケータ。
（項目５５）
前記プランジャ部材および作動部材を少なくとも部分的に格納する筐体部材をさらに備えている、項目４６−５４のいずれか一項に記載のアプリケータ。
（項目５６）
前記筐体部材は、皮膚接触表面を含む、項目５５に記載のアプリケータ。
（項目５７）
前記皮膚接触表面は、前記筐体を表面に固定するための接着剤をさらに備えている、項目５６に記載のアプリケータ。
（項目５８）
前記少なくとも１つの微小突起は、複数の微小突起を備えている微小突起アレイである、項目４６−５７のいずれか一項に記載のアプリケータ。
（項目５９）
前記複数の微小突起のうちの少なくともいくつかは、溶解可能または侵食され得る微小突起である、項目５８に記載のアプリケータ。
（項目６０）
前記複数の微小突起は、少なくとも１つの治療剤を含む、項目５８または５９に記載のアプリケータ。
（項目６１）
前記治療剤は、薬物、小分子、ペプチドまたはタンパク質、またはワクチンから選択される、項目６０に記載のアプリケータ。
（項目６２）
前記複数の微小突起の少なくとも一部は、前記微小突起アレイから切り離し可能である、項目５８−６１のいずれか一項に記載のアプリケータ。
（項目６３）
前記プランジャ要素は、約０．１５−０．２Ｊの力で対象の皮膚に接触する、項目４６−６２のいずれか一項に記載のアプリケータ。
（項目６４）
前記プランジャ遠位端の底部表面上に位置付けられている裏当て部材をさらに備え、前記裏当て部材は、前記少なくとも１つの微小突起を備え、
前記裏当て部材は、前記プランジャ遠位端から切り離し可能である、項目４６−６３のいずれか一項に記載のアプリケータ。
（項目６５）
前記裏当て部材は、前記プランジャ遠位端の前記遠位表面に隣接する支持層と、接着剤層とを備え、前記少なくとも１つの微小突起は、前記接着剤層の遠位に位置付けられている、項目６４に記載のアプリケータ。
（項目６６）
前記少なくとも１つの微小突起は、前記接着剤層の遠位に位置付けられている微小突起アレイである、項目６５に記載のアプリケータ。
（項目６７）
前記接着剤層は、前記少なくとも１つの微小突起を少なくとも部分的に、包囲している、項目６４−６６のいずれか一項に記載のアプリケータ。
（項目６８）
前記エネルギー貯蔵デバイスと前記プランジャ遠位端の近位表面との間に位置付けられているダンパをさらに備えている、項目４６−６７のいずれか一項に記載のアプリケータ。
（項目６９）
治療剤を対象に送達する方法であって、
前記対象の皮膚部位に、項目４６−６８のいずれか一項に記載のアプリケータを適用することと、
前記作動部材を作動させ、外力を前記プランジャ要素に伝達することと、
前記プランジャ要素を前記第１の拘束位置から前記第２の延長位置に解放することと、
前記ねじりエネルギー質量システムを前記プランジャシャフトの周りで回転させることによって、前記システムが前記プランジャシャフトの周りで回転する場合、前記システムが前記プランジャ近位表面上の少なくとも１つの突起に接触して、それを下向きに押し、それによって、前記プランジャ遠位端を前記皮膚部位に向かって移動させる、ことと
を含む、方法。
（項目７０）
前記プランジャは、前記少なくとも１つの微小突起が、前記皮膚を少なくとも部分的に穿通するために十分な力で、前記延長位置において、前記対象の皮膚部位に接触する、項目６９に記載の方法。
（項目７１）
前記ねじりエネルギー質量システムの回転は、前記プランジャに前記患者の皮膚に衝突させ、各衝突時、前記少なくとも１つの微小突起に前記皮膚をさらに穿通させる、項目６９または７０に記載の方法。
（項目７２）
前記プランジャ遠位端は、前記プランジャ遠位端の近位表面の周囲に間隔を空けられた複数の突起を備え、前記ねじりエネルギー質量システムの回転は、前記システムが前記複数の突起のうちの１つに接触する度に、前記プランジャに前記患者の皮膚に衝突させる、項目７１に記載の方法。
（項目７３）
前記アプリケータを前記対象の皮膚に接着することをさらに含む、項目６９−７２のいずれか一項に記載の方法。
（項目７４）
前記展開位置において、前記プランジャ要素は、その上に前記少なくとも１つの微小突起が保持されている前記プランジャの前記遠位端が、前記皮膚の表面の下方に位置付けられるような平衡位置を有する、項目６９−７３のいずれか一項に記載の方法。
（項目７５）
前記平衡位置は、前記対象の皮膚の表面から約０．０３−０．２インチ下方にある、項目７４に記載の方法。
（項目７６）
裏当て部材および前記少なくとも１つの微小突出部が前記対象の皮膚上に保持されるように、前記裏当て部材を切り離すことをさらに含む、項目６９−７５のいずれか一項に記載の方法。
（項目７７）
前記治療剤は、薬物、小分子、ペプチドまたはタンパク質、またはワクチンから選択される、項目６９−７６のいずれか一項に記載の方法。
以下に説明および図示される、以下の側面およびその実施形態は、例示および例証であり、範囲を限定することを意味するものではない。